(57)【特許請求の範囲】
【請求項１】
除湿手段を内蔵した本体と、この本体に設けた吹出口と、この吹出口の近傍に設けた左右方向に風向を変更する一対の風向変更ユニットと、この風向変更ユニットを回転可能に支持する回転軸と、この回転軸を回転駆動する駆動手段を有し、前記風向変更ユニットは前記回転軸に固定される風向変更板を有し、この風向変更板は吹出口の中央付近では前記回転軸に略直角に固定され、端部に向かうほど取り付けの傾斜角度を大とし、一対の前記風向変更ユニットの前記回転軸を同一直線上に設け、一対の前記風向変更ユニットは前記吹出口の中央付近で分離して配設し、前記駆動手段を複数の基準位置で停止する停止手段を設け、前記風向変更ユニットは基準位置を含めて少なくとも３カ所の停止位置で停止可能とし、前記駆動手段および前記停止手段を吹出口の両端位置に設け、前記風向変更板はそれぞれ長円の平板形状をなし、前記吹出口の中央付近では前記回転軸に略直角に固定され、端部に向かうほど垂直面に対して取り付けの傾斜角度を大とするとともに、長円形状の長径寸法も大として配置し、前記回転軸の回動角度を変えることにより通過する風向が変わり、操作部の操作により、一対の前記風向変更ユニットを個別または連動して、制御可能としたものであり、一対の前記風向変更ユニットを連動する場合は、風向変更時は右向き、平行、左向き、平行、右向き・・を繰り返し、送風範囲変更時は拡大、標準、集中、標準、拡大、・・を繰り返す動きをし、前記風向変更ユニットを個別に動かす場合は、一方の風向変更ユニットを停止し、他方を回転するような変則的な設定を行い、乾燥すべき衣類の量や質、配置に合わせて乾燥空気の風向や送風範囲を最適に設定できることを特徴とする風向変更装置。
【請求項２】
風向変更装置の後流側に、俯仰方向に風向変更可能な風向ルーバーを設けてなる請求項１に記載の風向変更装置。
【発明の詳細な説明】
【技術分野】
【０００１】
本発明は、除湿機などの空調装置の吹出口に使用される風向変更装置に関する。
【背景技術】
【０００２】
従来、この種の風向変更装置は、回転可能に設けられた軸に複数枚の風向変更板を同一傾斜方向に取付けたものを回転させることによって、多方向に風向を変更して衣類を乾燥するものが知られている（例えば、特許文献１参照）。
【０００３】
以下、その風向変更装置について図１３、図１４を参照しながら説明する。
【０００４】
図に示すように、本体１０４の吹出口１０５内側に乾燥空気を多方向に吹き出させるための風向板１０１をモーター１０３により回転自在に設け、風向板１０１は回転軸１０２に対して同一の傾斜を設けている。
【０００５】
そして、乾燥空気をシロッコファン１０６により吹出口１０５から室内に吹き出すときに、モーター１０３により風向板１０１を回転駆動して、乾燥空気を多方向に吹き出すようにしている。
【特許文献１】特開平７−１３９７５９号公報（第１頁、図１、図２）
【発明の開示】
【発明が解決しようとする課題】
【０００６】
このような風向変更装置では、送風方向の変更は可能であるが、乾燥すべき衣類の量や質、配置などに合わせて、送風範囲を拡大または集中するような調整をしようとすれば、部品点数の多い複雑な構造になり、操作性も悪くなるという課題があり、簡単な構造で送風方向の変更だけでなく送風範囲を調整できることが要求されている。
【０００７】
本発明は上記従来の課題を解決するものであり、簡単な構造でありながら、乾燥すべき衣類の量や質、配置などに合わせて、送風方向の変更だけでなく送風範囲の拡大または集中が可能な風向変更装置を提供することを目的としている。
【課題を解決するための手段】
【０００８】
本発明の風向変更装置は上記目的を達成するために、除湿手段を内蔵した本体と、この本体に設けた吹出口と、この吹出口の近傍に設けた左右方向に風向を変更する一対の風向変更ユニットと、この風向変更ユニットを回転可能に支持する回転軸と、この回転軸を回転駆動する駆動手段を有し、前記風向変更ユニットは前記回転軸に固定される風向変更板を有し、この風向変更板は吹出口の中央付近では前記回転軸に略直角に固定され、端部に向かうほど取り付けの傾斜角度を大とし、一対の前記風向変更ユニットの前記回転軸を同一直線上に設け、一対の前記風向変更ユニットは前記吹出口の中央付近で分離して配設し、前記駆動手段を複数の基準位置で停止する停止手段を設け、前記風向変更ユニットは基準位置を含めて少なくとも３カ所の停止位置で停止可能とし、前記駆動手段および前記停止手段を吹出口の両端位置に設け、前記風向変更板はそれぞれ長円の平板形状をなし、前記吹出口の中央付近では前記回転軸に略直角に固定され、端部に向かうほど垂直面に対して取り付けの傾斜角度を大とするとともに、長円形状の長径寸法も大として配置し、前記回転軸の回動角度を変えることにより通過する風向が変わり、操作部の操作により、一対の前記風向変更ユニットを個別または連動して、制御可能としたものであり、一対の前記風向変更ユニットを連動する場合は、風向変更時は右向き、平行、左向き、平行、右向き・・を繰り返し、送風範囲変更時は拡大、標準、集中、標準、拡大、・・を繰り返す動きをし、前記風向変更ユニットを個別に動かす場合は、一方の風向変更ユニットを停止し、他方を回転するような変則的な設定を行い、乾燥すべき衣類の量や質、配置に合わせて乾燥空気の風向や送風範囲を最適に設定できることを特徴とするものである。
【００１７】
また他の手段は、風向変更装置の後流側に、俯仰方向に風向変更可能な風向ルーバーを設けたものである。
【００１８】
これらの手段により、簡単な構造でありながら、乾燥すべき衣類の量や質、配置などに合わせて、送風方向の変更だけでなく送風範囲の拡大または集中が可能な風向変更装置が得られる。
【発明の効果】
【００１９】
本発明によれば、風向変更ユニットを所定の位置で停止させるために、設定変更の度に基準位置を再設定することで、小型モーターの現在開度や風向変更ユニットの現在位置等を把握するためのセンサー等が必要なく、簡単な構造と簡易な制御により、安価ではあるが正確に制御できる風向変更装置を提供できる。
【００２０】
また、風向変更ユニットを連続的に回転させた場合には、送風範囲を拡大、平行、集中、平行、拡大、・・の繰り返し、あるいは送風方向を右方行、平行、左方向、平行、右方向、・・と順次変化する繰り返しの運転を行うことで、乾燥ムラのない乾燥運転ができるという効果のある風向変更装置を提供できる。
【００２１】
また、操作部にて風向変更ユニットによる複数の送風方法から選択して操作できるので、被乾燥物の種類や配置に合わせた乾燥運転が可能となり、とくに送風の方向変更と送風範囲の変更を操作部のスイッチ操作のみで行うことができ、風向変更ユニットを直接触れて調整する手間もいらず、簡単な操作で便利に使用することができる。
【００２２】
また、家具の配置などで本体の吹出口が乾燥させる衣類に直面できない場合でも、乾燥させる衣類の方向に合わせて風向変更ユニットの設定が操作部で可能であり、乾燥風を本体の斜め方向の衣類に向けて供給するようにして、本体と衣類の変則的な配置にも対応することができる。
【発明を実施するための最良の形態】
【００２３】
本発明の請求項１記載の発明は、除湿手段を内蔵した本体と、この本体に設けた吹出口と、この吹出口の近傍に設けた左右方向に風向を変更する一対の風向変更ユニットと、この風向変更ユニットを回転可能に支持する回転軸と、この回転軸を回転駆動する駆動手段を有し、前記風向変更ユニットは前記回転軸に固定される風向変更板を有し、この風向変更板は吹出口の中央付近では前記回転軸に略直角に固定され、端部に向かうほど取り付けの傾斜角度を大とし、一対の前記風向変更ユニットの前記回転軸を同一直線上に設け、一対の前記風向変更ユニットは前記吹出口の中央付近で分離して配設し、前記駆動手段を複数の基準位置で停止する停止手段を設け、前記風向変更ユニットは基準位置を含めて少なくとも３カ所の停止位置で停止可能とし、前記駆動手段および前記停止手段を吹出口の両端位置に設け、前記風向変更板はそれぞれ長円の平板形状をなし、前記吹出口の中央付近では前記回転軸に略直角に固定され、端部に向かうほど垂直面に対して取り付けの傾斜角度を大とするとともに、長円形状の長径寸法も大として配置し、前記回転軸の回動角度を変えることにより通過する風向が変わり、操作部の操作により、一対の前記風向変更ユニットを個別または連動して、制御可能としたものであり、一対の前記風向変更ユニットを連動する場合は、風向変更時は右向き、平行、左向き、平行、右向き・・を繰り返し、送風範囲変更時は拡大、標準、集中、標準、拡大、・・を繰り返す動きをし、前記風向変更ユニットを個別に動かす場合は、一方の風向変更ユニットを停止し、他方を回転するような変則的な設定を行い、乾燥すべき衣類の量や質、配置に合わせて乾燥空気の風向や送風範囲を最適に設定できることを特徴とするものであり、一対の風向変更ユニットの風向を同一方向で回転させた場合は、左右方向に風向を変更できるとともに、一対の風向変更ユニットの風向を対象となる方向で回転させた場合は、送風範囲を集中および拡散することができ、送風範囲を拡散する場合は中央付近の送風の空白領域をなくし、送風範囲を集中する場合は中央付近の送風の衝突を防止して、均等に吹き出すことができ、送風範囲を拡大するときの開口角度を大きく取れるとともに、吹出口の中央付近では直進風を供給することで、最も乾燥効果を高めることができ、１つの風向変更ユニットが停止する基準位置では、異なる風向または送風範囲とすることができ、もう１つの風向変更ユニットの風向または送風範囲の変化と組み合わせることで、風向変更の種類を増やすことができ、乾燥すべき衣類の量や質、配置に合うように、少なくとも９種類の風向または送風範囲の組み合わせから選択でき、吹出口に通風抵抗になるものがないため、送風手段の小型化と低騒音化ができるとともに、停止手段を駆動手段に近接しているので基準位置のずれが少なくなり、風向変更ユニットを正確な回動位置で停止でき、一対の風向変更ユニットを連動する場合は、風向変更時は右向き、平行、左向き、平行、右向き・・を繰り返し、送風範囲変更時は拡大、標準、集中、標準、拡大、・・を繰り返す動きをし、風向変更ユニットを個別に動かす場合は、一方の風向変更ユニットを停止し、他方を回転するような変則的な設定を行い、左右に交互に風向変更するだけでなく、拡大と集中を繰り返す風向変更運転も可能であり、さらに変則的な風向の組み合わせの連続運転もできるので、被乾燥物の種類や配置に合わせた運転パターンを選択することができ、乾燥すべき衣類の量や質、配置に合わせて乾燥空気の風向や送風範囲を最適に設定できるという作用を有する。
【００３２】
また、風向変更ユニットの後流側に、俯仰方向に風向変更可能な風向ルーバーを設けたものであり、乾燥させる衣類の量や範囲に対応して、送風方向、送風範囲および俯仰方向の組み合わせを設定して、最適な範囲に乾燥空気を吹き出すことで、乾燥効率を向上できるという作用を有する。
【００３３】
以下、本発明の実施の形態について図面を参照しながら説明する。
【００３４】
（実施の形態１）
図１〜図９に示すように、本体１は冷凍サイクルまたは除湿素子からなる除湿手段１０と、除湿手段１０で除湿された乾燥空気を搬送する送風手段３を有し、本体１の表面に設けた操作部１１の入力操作により、制御部１２を介して運転制御される。
【００３５】
本体１の上部に乾燥空気を吹き出す吹出口２が開口されており、吹出口２の近傍に設けた左右方向に風向を変更する一対の風向変更ユニット４ａ、４ｂが吹出口２の上流側を横断するように、送風手段３の吐出側に近接して配置されている。風向変更ユニット４ａ、４ｂは駆動手段となる小型モーター６ａ、６ｂにより回転可能に設けられ、小型モーター６ａ、６ｂは制御部１２により駆動制御される。
【００３６】
風向変更ユニット４ａ、４ｂは小型モーター６ａ、６ｂに連結される回転軸７ａ、７ｂと、回転軸７ａ、７ｂに中心を貫通されて傾斜して固定される複数枚の風向変更板５ａ、５ｂにて構成され、風向変更板５ａ、５ｂはそれぞれ長円の平板形状をなし、吹出口の中央付近では回転軸７ａ、７ｂに略直角に固定され、端部に向かうほど垂直面に対して取り付けの傾斜角度を大とするとともに、長円形状の長径寸法も大として配置されているので、回転軸７ａ、７ｂの回動角度を変えることにより通過する風向が変わり、吹出口２の中央を中心として送風範囲を拡大、標準、集中などに変更できるとともに、送風方向を右側、中央、左側などに変更できるようになっている。なお操作部１１の操作により、小型モーター６ａ、６ｂの一方のみを駆動制御できるようになっている。
【００３７】
操作部１１の操作により送風の種類が選択されると、小型モーター６ａ、６ｂが選択された指示にしたがって駆動制御され、風向変更ユニット４ａ、４ｂは後述する基準位置まで移動して停止し、またはさらに所定角度だけ回動し、新しい停止位置で風向変更できるようになっている。基準位置から所定角度だけ回動させるときは、小型モーター６ａ、６ｂが回動するときの通電１パルス当りの回動角度を基準にして、定められた整数倍のパル
スを連続して通電することにより、正確な停止位置まで回動できるようになっている。
【００３８】
小型モーター６ａの回転軸７ａの端部には、図３で示すように一対の突起部８ａ、８ｂを回転軸７ａ外周の相対する位置に設け、突起部８ａ、８ｂのいずれかが本体１に設けた基準リブ９ａに当接する位置を基準位置として、風向変更ユニット４ａが基準位置で停止できるようにしている。このとき回転軸７ａに設けられた突起部８ａが基準リブ９ａに当接する位置を第１の基準位置として、風向変更ユニット４ａが送風範囲を拡大する位置となるように設定し、突起部８ｂが基準リブ９ａに当接する位置を第２の基準位置として、風向変更ユニット４ａが送風範囲を集中する位置となるように設定している。
【００３９】
小型モーター６ｂ、回転軸７ｂに関しても、図４で示すように一対の突起部８ｃ、８ｄと本体１側に基準リブ９ｂを設け、風向変更ユニット４ｂが第１、第２の基準位置で停止して、同様に送風範囲を変更できるようにしている。
【００４０】
また、一対の風向変更ユニット４ａ、４ｂは、図５（イ）に示すように吹出口２の中央付近で分離して配設され、小型モーター６ａを駆動手段とした場合は、停止手段としての突起部８ａ、８ｂおよび基準リブ９ａを、吹出口２の両端位置に設けている。また、小型モーター６ｂを駆動手段とした場合は、停止手段としての突起部８ｃ、８ｄおよび基準リブ９ｂを吹き出し口２の両端位置に設けている。回転軸７ａ、７ｂは同一直線上に配置され、吹出口２の中央付近で軸受け部１３により回動可能に支持され、風向変更ユニット４ａ、４ｂが個別または連動してスムーズに回動できる構成としている。
【００４１】
なお軸受け部１３は図５（ロ）に示すように、回転軸７ａ、７ｂの先端が嵌合する円筒形状をなし、脚部１３ａにて本体１に固定されている。
【００４２】
上記構成において、本体を運転するときは、操作部１１を操作して制御部１２に入力信号を送り、制御部１２により除湿手段１０と送風手段３が駆動される。
【００４３】
送風手段３の起動で、本体１の背面より吸込まれた室内空気は除湿手段１０で除湿され、乾燥空気となって風向変更ユニット４ａ、４ｂを通過して吹出口２より室内に放出される。
【００４４】
このとき操作部１１にて送風範囲を拡大の選択とした場合は、風向変更ユニット４ａは図３に示すように、回転軸７ａを反時計方向に回転させ、回転軸７ａに設けられた突起部８ａが基準リブ９ａに当接する位置まで回転し、その位置を第１の基準位置として停止する。同時に風向変更ユニット４ｂは図４に示すように、回転軸７ｂを時計方向に回転させ、回転軸７ｂに設けられた突起部８ｃが基準リブ９ｂに当接する位置まで回転し、その位置を第１の基準位置として停止する。これにより図５（イ）に示すように、風向変更ユニット４ａは左方向に風向変更を行い、風向変更ユニット４ｂは右方向に風向変更を行い、全体として送風範囲を拡大することができる。
【００４５】
また操作部１１にて送風範囲を集中の選択とした場合は、風向変更ユニット４ａは図３に示すように、回転軸７ａを時計方向に回転させ、回転軸７ａに設けられた突起部８ｂが基準リブ９ａに当接する位置まで回転し、その位置を第２の基準位置として停止する。同時に風向変更ユニット４ｂは、回転軸７ｂを反時計方向に回転させ、回転軸７ｂに設けられた突起部８ｄが基準リブ９ｂに当接する位置まで回転し、その位置を第２の基準位置として停止する。これにより図６に示すように、風向変更ユニット４ａは右方向に風向変更を行い、風向変更ユニット４ｂは左方向に風向変更を行い、全体として送風範囲を集中することができる。
【００４６】
また操作部１１にて風向を正面から見て左方向の選択とした場合は、風向変更ユニット４ａは第１の基準位置に停止し、風向変更ユニット４ｂは第２の基準位置に停止して、図７に示すように、風向変更ユニット４ａ、４ｂはともに左方向に風向変更を行うことができる。
【００４７】
また操作部１１にて風向を正面から見て右方向の選択とした場合は、風向変更ユニット４ａは第２の基準位置に停止し、風向変更ユニット４ｂは第１の基準位置に停止して、図８に示すように、風向変更ユニット４ａ、４ｂはともに右方向に風向変更を行うことができる。
【００４８】
また操作部１１にて送風範囲または送風方向の選択がない場合は、標準位置に停止するのであるが、このとき風向変更ユニット４ａは、回転軸７ａを時計方向に回転させ、回転軸７ａに設けられた突起部８ｂが基準リブ９ａに当接する第２の基準位置まで回転し、次に反転して所定角度９０度分だけ反時計方向に回転し、風向が平行となる標準位置に設定されて停止する。同時に風向変更ユニット４ｂは、回転軸７ｂを反時計方向に回転させ、回転軸７ｂに設けられた突起部８ｄが基準リブ９ｂに当接する第２の基準位置まで回転し、次に反転して所定角度９０度分だけ時計方向に回転し、風向が平行となる標準位置に設定されて停止する。これにより図９に示すように、風向変更ユニット４ａ、４ｂはともに正面側に向かう平行な風向が設定される。
【００４９】
また操作部１１にて風向変更ユニット４ａ、４ｂを個別に制御する選択をした場合には、一例として図１０に示すように、風向変更ユニット４ａを送風範囲を拡大する第１の基準位置に停止させ、風向変更ユニット４ｂを風向が平行となる標準の基準位置に停止させるような設定も可能であり、この場合は平行な標準送風に対して左方向のみ拡大した風向変更を行うものである。このように風向変更ユニット４ａ、４ｂの一方を平行、他方を拡大の位置に設定する以外にも、一方を平行、他方を集中の位置に設定することもできる。
【００５０】
また操作部１１にて送風範囲の拡大と縮小を繰り返すように設定されたＡパターン運転を選択した場合は、まず小型モーター６ａ、６ｂで風向変更ユニット４ａ、４ａを回動して、スタート地点として送風範囲の拡大位置（図５（イ））に合わせる。次に風向変更ユニット４ａ、４ａを風向が平行となる標準位置（図９）まで回動し、さらに次の基準位置となる送風範囲の集中位置（図６）まで回動させる。ここで、この基準位置から反転させて、逆方向の回転を行うことにより、送風範囲を拡大、平行、集中、平行、拡大、・・と連続して変更する往復運動を行うことができるので、吹出口２の中央付近に乾燥し難い衣類を配置することにより、乾燥ムラのない衣類乾燥ができるものである。
【００５１】
また操作部１１にて送風の向きを左右に連続して変更するように設定されたＢパターン運転を選択した場合は、まず小型モーター６ａ、６ｂで風向変更ユニット４ａ、４ａを回動して、スタート地点として送風の向きを正面から見て左方向（図７）に合わせる。次に風向変更ユニット４ａ、４ｂを風向が平行となる標準位置（図９）まで回動し、さらに次の基準位置となる送風の向きを右方向となる位置（図８）まで回動させる。ここで、この基準位置から反転させて、逆方向の回転を行うことにより、送風方向を左方向、平行、右方向、平行、左方向、・・と連続して変更する往復運動を行うことができるので、本体の前面に幅広く配置された衣類に、満遍なく均等に乾燥風を供給することが可能となり、長尺の衣類や横長に吊り下げられた衣類を均等に乾燥することができる。
【００５２】
このように、操作部１１にて複数の風向、送風範囲、運転パターンから選択して乾燥運転することにより、被乾燥物の種類や配置に合わせた多様な乾燥運転が可能となり、とくに送風の方向変更と送風範囲の変更を操作部１１のスイッチ操作のみで行うことができ、使用者は風向変更ユニット４ａ、４ｂを直接触れて調整することなく便利に使用できるものである。
【００５３】
また、家具の配置などで本体１の吹出口２が乾燥させる衣類に直面できない場合や、衣類を全体に均一に乾燥させたい場合や、一部の衣類に乾燥風を集中させたい場合など、種々の異なる乾燥シーンに対応した風向変更が可能であり、使い勝手のよい風向変更装置を提供できるものである。
【００５４】
（実施の形態２）
図１１および図１２に示すように、風向変更ユニット４ａ、４ｂの後流側に保護金網として吹出格子１４を設け、その後流側に俯仰方向に風向変更可能な風向ルーバー１５を設けている。風向ルーバー１５の吹き出し方向は、操作部１１にて制御可能に設けられ、俯仰方向の所定角度内をスイングできるものであり、またスイング範囲内の任意の角度で停止可能に設けられている。
【００５５】
上記構成において、本体を運転するときは、操作部１１を操作すると、除湿手段１０と送風手段３が駆動され、本体１の背面より送風手段３により吸込まれた室内空気は除湿手段１０で除湿され、風向変更ユニット４と吹出格子１４を通過した乾燥空気は、風向ルーバー１５により俯仰方向の風向変更がなされ、乾燥すべき衣類に向けて放出される。
【００５６】
このとき、乾燥すべき衣類を幅広く、かつ上下に干した場合は、操作部１１でＡパターン運転または送風範囲の拡大を選択し、スイング範囲を衣類に一番風があたる俯仰範囲に設定することにより、上下左右に均等に乾燥風が供給され乾燥時間を短縮することができる。
【００５７】
さらに、乾燥させる衣類の中でジーンズなどの厚手の衣類がある場合は、厚手の衣類を吹出口中央に配置し、操作部１１でＢパターン運転を選択し、スイング範囲を衣類に一番風があたる俯仰範囲に設定することにより、厚手の衣類に乾燥風を重点的に供給しながら左右範囲にも広く吹き出されるので、効率よく乾燥することができ、乾燥時間を短縮することができる。
【００５８】
また、家具の配置などで本体１の吹出口２が乾燥させる衣類の正面に配置できない場合には、乾燥させる衣類の方向に合わせて、操作部１１で右方向または左方向の送風方向を選択し、スイング範囲を衣類に一番風があたる俯仰範囲に設定することにより、乾燥風を本体１の斜め方向の衣類に向けて供給することができ、本体１の正面から少し外れた方向に衣類を配置するような制約された条件であっても、乾燥させる衣類に乾燥風を供給することができ、便利に使用することができる。
【００５９】
このように、乾燥すべき衣類の量、質および本体との配置関係などに対応して、左右方向の送風範囲と上下方向の送風範囲を組み合わせ、さらに固定またはスイングを組み合わせて、最適な送風範囲の設定を行い乾燥空気を吹き出すことにより、衣類の乾燥効率を大幅に向上させて、衣類の乾燥時間の短縮ができるとともに、あらゆる衣類の乾燥シーンに対応できる使い勝手のよい風向変更装置を実現することができる。
【産業上の利用可能性】
【００６０】
本発明は乾燥空気を広範囲に拡大または集中して吹き出し、また左右方向のいずれにも吹き出すことで、広範囲の衣類乾燥や衣類乾燥時間の低減ができるものであり、用途に応じて加湿空気や冷温風の送風範囲や送風角度を変えて吹き出す加湿器、エアコンなどの空調機器の用途にも適用できる。
【図面の簡単な説明】
【００６１】
【図１】本発明の実施の形態１の風向変更装置の透視図
【図２】同、ブロック回路図
【図３】同、風向変更装置の右側面透視図
【図４】同、風向変更装置の左側面透視図
【図５】（イ）同、拡大吹き出し時の正面透視図（ロ）同、回転軸と軸受け部の拡大断面図
【図６】同、集中吹き出し時の正面透視図
【図７】同、左方向吹き出し時の正面透視図
【図８】同、右方向吹き出し時の正面透視図
【図９】同、標準位置での吹き出し時の正面透視図
【図１０】同、一対の風向変更ユニットを個別に制御した場合の正面透視図
【図１１】本発明の実施の形態２の風向変更装置の外観斜視図
【図１２】同、風向ルーバー使用時の衣類乾燥運転の説明図
【図１３】従来の除湿機の風向変更装置の概略断面図
【図１４】同、風向変更装置の主要部の外観斜視図
【符号の説明】
【００６２】
１        本体
２        吹出口
４ａ      風向変更ユニット
４ｂ      風向変更ユニット
５ａ      風向変更板
５ｂ      風向変更板
６ａ      小型モーター（駆動手段）
６ｂ      小型モーター（駆動手段）
７ａ      回転軸
７ｂ      回転軸
８ａ      突起部（停止手段）
８ｂ      突起部（停止手段）
８ｃ      突起部（停止手段）
８ｄ      突起部（停止手段）
９ａ      基準リブ（停止手段）
９ｂ      基準リブ（停止手段）
１０      除湿手段
１１      操作部
１５      風向ルーバー
【図１】
0004752539.tif 000002
【図２】
0004752539.tif 000003
【図３】
0004752539.tif 000004
【図４】
0004752539.tif 000005
【図５】
0004752539.tif 000006
【図６】
0004752539.tif 000007
【図７】
0004752539.tif 000008
【図８】
0004752539.tif 000009
【図９】
0004752539.tif 000010
【図１０】
0004752539.tif 000011
【図１１】
0004752539.tif 000012
【図１２】
0004752539.tif 000013
【図１３】
0004752539.tif 000014
【図１４】
0004752539.tif 000015